(57)【要約】【課題】所望するコードの運指を覚えておらず押下力の弱い演奏初心者であっても多数のコードを容易かつ正確に演奏することができる弦楽器用コード演奏補助具を提供すること。【解決手段】本実施形態の弦楽器用コード演奏補助具１は、第ｎ弦（ｎ：１≦ｎ≦Ｎを満たす正の整数）１０１〜１０６に沿って延びる複数本のレバー２を配列してなる第ｎレバー群２ｎと、第ｎレバー群２ｎの一端を支持する支点部４と、レバー２の他端側に配置された押下部５と、支点部４と押下部５との間の運指位置に取り付けられた弦押さえ部７と、を備えていることを特徴とする。【選択図】図２
2019211606.tif 000002
【特許請求の範囲】
【請求項１】
Ｎ本の弦（Ｎ：正の整数）が指板の長さ方向ＬＤに張られた弦楽器の第ｎ弦（ｎ：１≦ｎ≦Ｎを満たす正の整数）に沿って延びる複数本のレバーを前記指板の幅方向ＷＤに配列してなる第ｎレバー群と、
前記指板に対する接離方向ＤＤに前記レバーを移動自在にしながら前記第ｎレバー群の一端を支持する支点部と、
前記レバーの他端側に配置されており、前記弦楽器の演者による押下に応じて前記指板に近づく方向に前記レバーを押下する押下部と、
前記第ｎレバー群を構成する各々の前記レバーにおいて前記支点部と各々の前記押下部との間の運指位置に取り付けられており、前記押下部の押下に応じて前記第ｎ弦を押下する複数の弦押さえ部と、
前記押下部への押下がないときに前記第ｎ弦と前記第ｎ弦を押下する複数の弦押さえ部とを離す位置にレバーを制御する位置制御部と、
を備えていることを特徴とする弦楽器用コード演奏補助具。
【請求項２】
前記所望のコードを演奏するために押下される複数本の前記レバーに各々配置された複数の前記押下部は、前記指板の幅方向ＷＤに直線状に配置されている
ことを特徴とする請求項１に記載の弦楽器用コード演奏補助具。
【請求項３】
前記演者の操作に応じてすべての前記押下部を同時押下させる集中押下部と、を備えており、
前記集中押下部は、前記所望のコードの数だけ前記指板の長さ方向ＬＤに直線状に配置されている
ことを特徴とする請求項１又は請求項２に記載の弦楽器用コード演奏補助具。
【請求項４】
前記第ｎレバー群に配置された前記押下部及び前記弦押さえ部は、複数本の前記レバーに挟まれた位置に各々取り付けられている
ことを特徴とする請求項１から請求項３のいずれか１項に記載の弦楽器用コード演奏補助具。
【請求項５】
前記指板の幅方向ＷＤにおける複数本の前記レバーの間に設けられる一部又は全部の隙間に配置されており前記指板の直交方向に延在するガイド部と、
を備えることを特徴とする請求項１から請求項４のいずれか１項に記載の弦楽器用コード演奏補助具。
【請求項６】
前記第ｎレバー群を構成する所定の前記レバーにおいて前記支点部と各々の前記押下部との間に取り付けられており、前記押下部の押下により前記第ｎ弦がミュートする程度に前記第ｎ弦に接触する弦ミュート部と、
を備えることを特徴とする請求項１から請求項５のいずれか１項に記載の弦楽器用コード演奏補助具。
【請求項７】
前記レバーは、前記レバーの延在方向と押下方向ＰＤとの直交方向を法線とする平面状に形成されている
ことを特徴とする請求項１から請求項６のいずれか１項に記載の弦楽器用コード演奏補助具。
【発明の詳細な説明】
【技術分野】
【０００１】
本発明は、弦楽器用コード演奏補助具に係り、特に、コード押さえに不慣れな弦楽器初心者によるコード演奏に好適に利用できる弦楽器用コード演奏補助具に関する。
【背景技術】
【０００２】
従来の弦楽器用コード演奏補助具は、複数の弦が指板の長さ方向ＬＤと同一方向に張られたギター等の弦楽器のネックに固定されるカポタストパッドを有するベース手段と、複数の弦の配置間隔程度の幅を持ってベース手段から弦張方向に延びると共にネック上面に対して部分的又は全体的に平行に配置された細長い板状の複数のばねレバーと、ばねレバーの下面において所望のコードを構成する複数の運指位置に取り付けられた複数の弦押さえと、複数のばねレバーのうち所望する複数のばねレバーを結合する複数のブリッジ・エレメントと、所望のコードに対応する複数の弦押さえが取り付けられた複数のばねレバーの上面又は複数のばねレバーを結合する複数のブリッジ・エレメントの上面に取り付けられた指キーと、を備える。
【０００３】
従来の弦楽器用コード演奏補助具によると、所定のばねレバーを押し下げたときに所望のコードに対応する弦が押し下げられるので、これにより、コード押さえに不慣れな弦楽器初心者であっても弦楽器のコード演奏を行うことができる（特許文献の「ｃｌａｉｍ  １」及び「Ｍｏｄｅｌ  １」等を参照。）。
【先行技術文献】
【特許文献】
【０００４】
【特許文献１】米国特許第４１５４１３４号明細書
【発明の概要】
【発明が解決しようとする課題】
【０００５】
しかしながら、従来の弦楽器用コード演奏補助具においは、所望するコードを構成する１個又は複数の弦押さえはブリッジ・エレメントによって結合していたので、所望するコードが増えることによりブリッジ・エレメントが複雑な形状になったり、複数のブリッジ・エレメントが交差する形状になったりした場合、押下力が弦押さえに均一に加わらない。その結果、ある弦押さえに加わる押下力が必要な押下力よりも弱い場合、的確なコード演奏を行うことが極めて困難であるという問題があった。
【０００６】
また、従来の弦楽器用コード演奏補助具においては、指キーは所望のコードを構成する１個又は複数の弦押さえに囲まれた位置に取り付けられていることもあった。そのため、ばねレバーにおいて、ベース手段から指キー（力点）までの距離がベース手段から弦押さえ（作用点）までの距離よりも短くなることがあるので、演者は指キーに対して通常の運指位置にて弦を押さえるよりも大きな力を加えなければならない。これにより、弦押さえが不得手な初心者の演者に対して大きな指の力を強いることになる。その結果、ある弦押さえに加わる押下力が必要な押下力よりも弱い場合、的確なコード演奏を妨げることになるという問題があった。
【０００７】
また、従来の弦楽器用コード演奏補助具においては、ブリッジ・エレメントを介して指キーの押下力を弦押さえに適切に伝えるために、指キーの位置は弦押さえ及びブリッジ・エレメントの形状や位置関係に応じて必然的に決められてしまっていた。つまり、指キーの位置を任意に決めることができないため、演者はランダム配置された指キーの位置を覚えなければならないという問題があった。
【０００８】
また、従来の弦楽器用コード演奏補助具においては、従来の構成により演奏容易性等の観点から上記以外の種々の問題があった。
【０００９】
そこで、本発明はこれらの点に鑑みてなされたものであり、所望するコードの運指を覚えておらず押下力の弱い演奏初心者であっても多数のコードを容易かつ正確に演奏することができる弦楽器用コード演奏補助具を提供することを本発明の目的としている。
【課題を解決するための手段】
【００１０】
（１）前述した目的を達成するため、本発明の弦楽器用コード演奏補助具は、Ｎ本の弦（Ｎ：正の整数）が指板の長さ方向に張られた弦楽器の第ｎ弦（ｎ：１≦ｎ≦Ｎを満たす正の整数）に沿って延びる複数本のレバーを指板の幅方向に配列してなる第ｎレバー群と、指板に対する接離方向ＤＤにレバーを移動自在にしながら第ｎレバー群の一端を支持する支点部と、レバーの他端側に配置されており、弦楽器の演者による押下に応じて指板に近づく方向にレバーを押下する押下部と、第ｎレバー群を構成する各々のレバーにおいて支点部と各々の押下部との間の運指位置に取り付けられており、押下部の押下に応じて第ｎ弦を押下する複数の弦押さえ部と、押下部への押下がないときに第ｎ弦と第ｎ弦を押下する複数の弦押さえ部とを離す位置にレバーを制御する位置制御部と、を備えていることを特徴とする。
【００１１】
これにより、１本の弦における運指位置の数に応じてレバーの数を各々増やすことができるので、それらレバーに取り付けられた弦押さえ部に対応する運指位置により構成されるコードの数を増やすことができる。また、各レバーにおいて、支点部から押下部（力点）までの距離が支点部から弦押さえ部（作用点）までの距離よりも長いので、演者の押下力よりも大きな力で弦を押さえることができる。
【００１２】
（２）また、本発明の弦楽器用コード演奏補助具において、所望のコードを演奏するために押下される複数本のレバーに各々配置された複数の押下部は、指板の幅方向に直線状に配置されていることが好ましい。
【００１３】
これにより、直線状に配置された複数の押下部を、演者の指の先からその付け根までの細長い面を使って演者の指一本で押下することができる。
【００１４】
（３）また、本発明の弦楽器用コード演奏補助具は、演者の操作に応じてすべての押下部を同時押下させる集中押下部と、を備えており、集中押下部は、所望のコードの数だけ指板の長さ方向に直線状に配置されていることが好ましい。
【００１５】
これにより、１個の集中押下部により複数の押下部を同時押下することができるので、演者の指先を使って演者の指一本で集中押下部を押下することができる。また、複数の集中押下部が直線状に配置されているので、演者の各指を大きく移動させることなく各々の集中押下部を操作することができる。
【００１６】
（４）また、本発明の弦楽器用コード演奏補助具において、第ｎレバー群に配置された押下部及び弦押さえ部は、複数本のレバーに挟まれた位置に各々取り付けられていることが好ましい。
【００１７】
これにより、押下方向に対する斜め方向に押下部を押下したとしても、押下部及び弦押さえ部を挟んだ状態で取り付けた２本以上のレバーが互いに支えあうことによって押下によるねじれを抑制してレバーの移動を押下方向に限定するので、弦押さえ部による押下操作を安定させることができる。
【００１８】
（５）また、本発明の弦楽器用コード演奏補助具は、指板の幅方向における複数本のレバーの間に設けられる一部又は全部の隙間に配置されており指板の直交方向に延在するガイド部と、を備えることが好ましい。
【００１９】
これにより、押下方向に対する斜め方向に押下部を押下したとしても、その押下部が取り付けられたレバーに隣位するガイド部がレバーの横ずれを抑制しながらレバーの移動を押下方向に限定するので、弦押さえ部による押下操作を安定させることができる。
【００２０】
（６）また、本発明の弦楽器用コード演奏補助具は、第ｎレバー群を構成する所定のレバーにおいて支点部と各々の押下部との間に取り付けられており、押下部の押下により第ｎ弦がミュートする程度に第ｎ弦に接触する弦ミュート部と、を備えることが好ましい。
【００２１】
これにより、所望のコードの演奏に不要な弦を演者が意図せず弾いてしまったとしても、その不要な弦から奏でる不要音を消すことができる。
【００２２】
（７）また、本発明の弦楽器用コード演奏補助具において、レバーは、レバーの延在方向と押下方向との直交方向を法線とする平面状に形成されていることが好ましい。
【００２３】
これにより、押下部による押下方向に対してレバーの強度を高めながらレバーの幅寸法が極めて小さくなるので、指板の幅方向に配列される第ｎレバー群の複数本のレバーの本数を増やすことができる。これにより、弦押さえ部及び押下部の数を増やすことができるので、演奏を所望するコードの数を増やすことができる。
【発明の効果】
【００２４】
本発明の弦楽器用コード演奏補助具によれば、所望するコードの運指を覚えておらず押下力の弱い演奏初心者であっても多数のコードを容易かつ正確に演奏することができる。
【図面の簡単な説明】
【００２５】
【図１】図１は、本実施形態の弦楽器用コード演奏補助具を弦楽器に取り付けた状態を示す概略図である。
【図２】図２は、本実施形態の弦楽器用コード演奏補助具の筐体内にある主要構成を示す斜視図である。本図においては位置制御部等のいくつかの構成手段の表示を省略している。
【図３】図３は、本実施形態の第ｎレバー群及びその周辺の主要部材を示す斜視図である。本図においては位置制御部等のいくつかの構成手段の表示を省略している。
【図４】図４は、本実施形態の弦押さえ部及び弦ミュート部と押下部との対応関係並びに弦押さえ部によるコード演奏の原理を示す概要図である。
【図５】図５は、本実施形態の弦楽器用コード演奏補助具により演奏可能なコードの一例を示す概略指板図である。
【図６】図６は、本実施形態の位置制御部のある一例を示す斜視図である。
【図７】図７は、本実施形態の位置制御部の他の一例を示す斜視図である。
【図８】図８は、本実施形態の位置制御部の他の一例を示す正面図である。
【発明を実施するための形態】
【００２６】
以下、本実施形態の弦楽器用コード演奏補助具１を説明する。
【００２７】
［１］構成
（１）弦楽器用コード演奏補助具１
本実施形態の弦楽器用コード演奏補助具１は、図１及び図２に示すように、ギターやウクレレなどのＮ本（Ｎ：正の整数）の弦１０ｎが指板１５０の長さ方向ＬＤに張られた弦楽器に用いられる。例えば、本実施形態の弦楽器は、６本（Ｎ＝６）の弦１０１〜１０６がネック１５１上に設けられた指板１５０の長さ方向ＬＤに張られた６弦ギターと仮定する。また、例えば、本実施形態の弦楽器用コード演奏補助具１は、弦楽器のネック１５１の第１〜３フレット１６１〜１６３において弦１０１〜１０６を押さえるローコードの演奏に用いられると仮定する。
【００２８】
また、本実施形態の弦楽器用コード演奏補助具１は、図１に示すように、筐体１０と、固定部１９と、を備える。
【００２９】
本実施形態の筐体１０は、指板１５０の長さ方向ＬＤに延びる直方体状に形成されており、指板１５０の対向面（図１においては下面）の全面及びその反対面（図１においては上面１１）におけるネック１５１のボディ側１５３の一部の面が集中押下部６の操作に支障がない程度の大きさだけ開放されている。筐体１０における指板１５０の幅方向ＷＤに配置された２つ側面（図１においては第１弦側側面１５及び第６弦側側面１４）は、各弦１０ｎに接触させずにネック１５１における第１弦１０１及び第６弦１０６側の両側面又は指板１５０に接触する大きさ及び位置になっている。
【００３０】
本実施形態の固定部１９は、各弦１０ｎに接触させずに筐体１０をネック１５１に固定する。これら固定部１９は、ゴム製、革製、プラスティック製その他の筐体１０をネック１５１に固定するために必要な剛性及び弾性を有する固定帯であり、筐体１０における指板１５０の長さ方向ＬＤの両端（筐体１０におけるヘッド側側面１２付近の端部及びボディ側側面１３付近の端部）にそれぞれ配置されている。
【００３１】
さらに、この弦楽器用コード演奏補助具１は、図１〜図８に示すように、その筐体１０の内部に、複数本のレバー２を各々有する複数のレバー群２ｎと、ガイド部３と、支点部４と、押下部５と、集中押下部６と、弦押さえ部７と、弦ミュート部８と、位置制御部９と、を備えている。
【００３２】
（２）レバー群２ｎ
第ｎレバー群２ｎ（ｎ：１≦ｎ≦Ｎを満たす正の整数）は、図２及び図３に示すように、指板１５０の長さ方向ＬＤに延びる複数本のレバー２を指板１５０の幅方向ＷＤに配列してなる。これら第ｎレバー群２ｎは、第ｎ弦１０ｎの上方において、弦楽器の第ｎ弦１０ｎに沿って延びる。
【００３３】
本実施形態の第ｎレバー群２ｎは、第１〜６レバー群２１〜２６といったように６弦ギターの全弦１０１〜１０６に設けられてもよいし（ｎ＝１〜６のすべての正の整数）、図示はしないが第４〜６レバー群２４〜２６のみといったように一部の弦１０ｎに設けられてもよい（ｎ＝１〜６のいずれかの１個又は２個以上の正の整数）。
【００３４】
本実施形態のレバー２は、レバー２の延在方向（本実施形態においては指板１５０の長さ方向ＬＤ）と指板１５０に対する接離方向ＤＤ（本実施形態においては押下方向ＰＤ）との直交方向を法線とする平面状に形成されていることが好ましい。平面状のレバー２は、演者の押下力に負けない程度の高い剛性を持つ金属又は樹脂により形成されていることが好ましい。
【００３５】
レバー２の本数は、弦押さえ部７及び弦ミュート部８の合計個数に対して２倍以上の偶数個であることが好ましい。本実施形態の弦押さえ部７及び弦ミュート部８の合計個数は４個であるため、本実施形態のレバー２は各弦１０ｎに対して８本ずつ配列されている。
【００３６】
以下、第ｎレバー群２ｎにおいて第１弦１０１から第６弦１０６へ向かう方向に配列された８本のレバー２をｎａレバー２ｎａ〜ｎｈレバー２ｎｈという。例えば、第２レバー群２２において第１弦１０１側から数えて第３番目に配列されたレバー２を２ｃレバー２２ｃという。
【００３７】
（３）ガイド部３
ガイド部３は、指板１５０の幅方向ＷＤにおける複数本のレバー２の間に設けられる一部又は全部の隙間に配置されている。このガイド部３は、指板１５０の直交方向（離接方向ＤＤ）に延在している。
【００３８】
本実施形態のガイド部３は、レバー２と同様、レバー２の延在方向（本実施形態においては指板１５０の長さ方向ＬＤ）と指板１５０に対する接離方向ＤＤ（本実施形態においては押下方向ＰＤ）との直交方向（本実施形態においては指板１５０の幅方向ＷＤ）を法線とする平面状に形成されていることが好ましい。平面状のガイド部３は、レバー２と同様、演者の押下力に負けない程度の剛性を持つ金属又は樹脂により形成されていることが好ましい。
【００３９】
また、本実施形態のガイド部３は、第ｎレバー群２ｎとガイド部３との合計幅寸法を小さくしつつガイド部３のガイド機能を好適に発揮させるため、指板１５０の幅方向ＷＤにおいて第ｎレバー群２ｎを構成する複数本のレバー２の中間に設けられる隙間（例えば、本実施形態の第ｎレバー群２ｎが８本のレバー２により構成されている場合には４本目のｎｄレバーと５本目のｎｅレバーとの間に設けられる隙間）、各レバー群２ｎの間に設けられる隙間（例えば、本実施形態の第１レバー群２１と第２レバー群２２との間に設けられる隙間）、両側に位置する最外側の第ｎレバー群と筐体の側面との間に設けられるそれぞれの隙間（本実施形態においては、第１レバー群２１と筐体の第１弦側側面１５との間に設けられる隙間、及び、第６レバー群２６と筐体の第６弦側側面１４との間に設けられる隙間）、にそれぞれ配置されていることが好ましい。
【００４０】
（４）支点部４
支点部４は、指板１５０に対する接離方向ＤＤにレバー２を移動自在にしながら第ｎレバー群２ｎの一端を支持する。
【００４１】
本実施形態の支点部４は、全てのレバー２の一端側（本実施形態においてはネックのヘッド側１５２）において指板１５０の幅方向ＷＤからレバー２を貫通する貫通孔４１と、ネックのヘッド側１５２において筐体１０の第１弦側側面１５及び第６弦側側面１４に支持されながら貫通孔４１を貫通する丸棒状のピン４２と、により構成された回転支点であることが好ましい。
【００４２】
（５）押下部５
押下部５は、弦楽器の演者による押下に応じて指板１５０に近づく方向（押下方向ＰＤ）にレバー２を押下する。以下、第ｎレバー群２ｎにおいて第１〜３フレット１６１〜１６３上に取り付けられた弦押さえ部７を押下する押下部５をｎ１押下部５ｎ１〜ｎ３押下部５ｎ３という。また、第ｎレバー群２ｎに取り付けられる弦ミュート部８を押下する押下部５をｎｍ押下部５ｎｍという。例えば、第２レバー群２２において第３フレット１６３上に取り付けられた弦押さえ部７を押下する押下部５を２３押下部５２３といい、第３レバー群２３に取り付けられる弦ミュート部８を押下する押下部５を３ｍ押下部５３ｍという。
【００４３】
なお、本明細書において「フレット上」というのは、フレットの真上だけではなく、その近傍も含むフレットの上方であってコードに運指に適切な位置を意味する。例えば、本実施形態の弦押さえ部７が位置する「フレット上」とは、図２〜４に示すように、フレットの真上よりもヘッド側にずれた位置を意味する。
【００４４】
本実施形態の押下部５は、レバー２の他端側（本実施形態においてはネック１５１のボディ側１５３）に複数個配置されている。本実施形態の押下部５は、例えばギターの第７〜第１５フレット上で好適な位置に配置されている。これらの押下部５は、１本の弦押さえ部７に対して複数個配置することができる。押下部５の個数は、弦押さえ部７の個数ではなく、演奏を所望するコード数に応じて決められる。そのため、第１レバー群２１において第１フレット１６１上に取り付けられた弦押さえ部７を使用するコードが３個ある場合、それを押下する１１押下部５１１が第１レバー群２１に３個配置される。
【００４５】
また、第ｎレバー群２ｎに配置された押下部５は、複数本のレバー２に挟まれた位置に各々取り付けられていることが好ましい。例えば、本実施形態の第ｎレバー群２ｎに配置された複数の押下部５は、図３及び図４に示すように、８本のレバー２のうちの４組の２本のレバー２（ｎａレバー２ｎａ〜ｎｈレバー２ｎｈのうち、ｎａレバー２ｎａ及びｎｅレバー２ｎｅ、ｎｂレバー２ｎｂ及びｎｆレバー２ｎｆ、ｎｃレバー２ｎｃ及びｎｇレバー２ｎｇ並びにｎｄレバー２ｎｄ及びｎｈレバー２ｎｈ）に挟まれた位置において、それら各２本のレバー２を上方から接続する断面Ｕ字ブリッジ形状に各々形成されている。ブリッジ状の押下部５は、演者の押下力に負けない程度の高い剛性を持つ金属又は樹脂によりレバー２と一体に形成されていることが好ましい。
【００４６】
また、所望のコードを演奏するために押下される複数本のレバー２に各々配置される複数の押下部５は、指板１５０の幅方向ＷＤに直線状に配置されていることが好ましい。例えば、図４及び図５に示すように、第１弦１０１の第１フレット１６１のファ音、第２弦１０２の第３フレット１６３及び第４弦１０４のレ音、第３弦１０３の第２フレット１６２及び第５弦１０５のラ音並びに第６弦１０６のミュートで構成されるコードＤｍをギターで演奏する場合、３個の弦押さえ部７及び１個の弦ミュート部８はコードＤｍの運指位置に応じて指板１５０の幅方向ＷＤに非直線状に配置されている。しかし、それら３個の弦押さえ部７及び１個の弦ミュート部８を各弦１０ｎに押下する４個の押下部５（１１押下部５１１，２３押下部５２３，３２押下部５３２，６ｍ押下部５６ｍ）は、図４に示すように、指板１５０の幅方向ＷＤに対して直線状に配置されている。なお、上記の場合、第４弦１０４及び第５弦１０５は開放弦であって弦の押下が不要であるため、上記した４個の押下部５の配列直線上に第４レバー群２４及び第５レバー群２５の押下部５は配置されない。
【００４７】
（６）集中押下部６
集中押下部６は、図１及び図２に示すように、指板１５０の幅方向ＷＤに対して直線状に配置されたすべての押下部５を演者の操作に応じて同時押下させる。本実施形態の集中押下部６は、指板１５０の幅方向ＷＤに直線状に延びるカンチレバー２状に形成されており、指板１５０の幅方向ＷＤに直線配置されたすべての押下部５の上に配置されている。カンチレバー２状の集中押下部６の一端は筐体１０の第６弦側側面１４に固定されており、その集中押下部６の他端は第１弦側側面１５の付近において演者の指で押下しやすい円板のようなボタン状に形成されている。
【００４８】
また、集中押下部６は、図１に示すように、所望のコードの数だけ指板１５０の長さ方向ＬＤに直線状に配置されていることが好ましい。本実施形態の弦楽器用コード演奏補助具１がギターの第１〜３フレット１６１〜１６３間で構成される様々なコード（例えば図５に示すＣ，Ｆ，Ｇ７，Ａｍ，Ｄｍ，Ｅ及びＥｍの７個のコード）の演奏を補助する場合、その数と同じ個数（例えば図１及び図５では７個）の集中押下部６のボタンが指板１５０の長さ方向ＬＤに一直線状に配置されている。
【００４９】
なお、上記と異なりコード数が何十もの多数になる場合や、集中押下部６の操作性をさらに向上させる場合、アコーディオンのボタン配置のように、集中押下部６のボタンが複数列の直線状に配置されていてもよい。
【００５０】
（７）弦押さえ部７
複数の弦押さえ部７は、図２及び図３に示すように、押下部５の押下に応じて第ｎ弦１０ｎを押下する。これら複数の弦押さえ部７は、第ｎレバー群２ｎを構成する各々のレバー２において支点部４と各々の押下部５との間の運指位置（本実施形態においてはフレット上）に取り付けられている。本実施形態の弦楽器用コード演奏補助具１はギターの第１〜３フレット１６１〜１６３間で構成される様々なコード（例えば図５に示す７個のコード）の演奏を補助する。そのため、本実施形態の弦押さえ部７が第１〜３フレット１６１〜１６３上のいずれかに配置されている場合、第ｎレバー群２ｎに取り付けられる弦押さえ部７の個数は０〜３個である。
【００５１】
また、第ｎレバー群２ｎに配置された弦押さえ部７は、複数本のレバー２に挟まれた位置に各々取り付けられていることが好ましい。例えば、本実施形態の第ｎレバー群２ｎに配置された複数の弦押さえ部７は、図３及び図４に示すように、８本のレバー２のうちの３組の２本のレバー２（ｎａレバー２ｎａ〜ｎｈレバー２ｎｈのうち、ｎｂレバー２ｎｂ及びｎｆレバー２ｎｆ、ｎｃレバー２ｎｃ及びｎｇレバー２ｎｇ並びにｎｄレバー２ｎｄ及びｎｈレバー２ｎｈ）に挟まれた位置に設けられている。その場合の弦押さえ部７は、それら各２本のレバー２から指板１５０に向かって下方に伸びる三角プレート状の支持部７１と、指板１５０に対向する２個の支持部７１の先端を接続するゴム製、フェルト製、プラスティック製その他の弦の剛性に負けない程度の剛性を有する素材のパッド部７２と、により構成されている。弦押さえ部７の支持部７１は、レバー２と同素材で一体形成されていることが好ましい。
【００５２】
以下、第ｎレバー群２ｎにおいて第１〜３フレット１６１〜１６３上に取り付けられた３個の弦押さえ部７をｎ１〜ｎ３弦押さえ部７ｎ１〜７ｎ３という。例えば、第２レバー群２２において第３フレット１６３上に取り付けられた弦押さえ部７を２３弦押さえ部７２３という。
【００５３】
（８）弦ミュート部８
弦ミュート部８は、押下部５の押下により第ｎ弦１０ｎがミュートする程度に第ｎ弦１０ｎに接触する。この弦ミュート部８は、図２及び図３に示すように、第ｎレバー群２ｎを構成する所定のレバー２において支点部４と各々の押下部５との間に取り付けられている。本実施形態の弦楽器用コード演奏補助具１はギターの第１〜３フレット１６１〜１６３間で構成される様々なコード（例えば図５に示す７個のコード）の演奏を補助する。本実施形態の弦押さえ部７が第１〜３フレット１６１〜１６３上に配置されており、押下部５が第７〜第１５フレット上に配置されている場合、弦ミュート部８は第４〜第６フレット上に配置されている。
【００５４】
また、第ｎレバー群２ｎに配置された弦ミュート部８は、複数本のレバー２に挟まれた位置に取り付けられていることが好ましい。例えば、本実施形態の第ｎレバー群２ｎに配置された弦ミュート部８は、図２及び図３に示すように、８本のレバー２のうちの１組の２本のレバー２（ｎａレバー２ｎａ〜ｎｈレバー２ｎｈのうちｎａレバー２ｎａ及びｎｅレバー２ｎｅ）に挟まれた位置に設けられている。その場合の弦ミュート部８は、２本のレバー２から指板１５０に向かって伸びる三角プレート状の支持部８１と、指板１５０に対向する２個の支持部８１の先端を接続するフェルト製、ゴム製その他の弦の振動を抑える制振素材の制振部８２と、により構成されている。弦ミュート部８の支持部８１は、レバー２と同素材で一体形成されていることが好ましい。
【００５５】
以下、第ｎレバー群２ｎに取り付けられた弦ミュート部８を第ｎ弦ミュート部８ｎｍという。例えば、第２レバー群２２に取り付けられた弦ミュート部８を第２弦ミュート部８２ｍという。
【００５６】
（９）位置制御部９
位置制御部９は、押下部５への押下がないときに第ｎ弦１０ｎを押下する複数の弦押さえ部７と第ｎ弦１０ｎとを離す位置にレバー２を制御する。
【００５７】
本実施形態の位置制御部９としては、２つの具体例が挙げられる。その一例として、本実施形態の位置制御部９は、図６に示すように、第ｎレバー群２ｎにおけるレバー２の他端側（例えばギターの第７〜第１５フレット上）に複数個配置されている。この位置制御部９は、基礎部９１と、ストッパ９２と、ばね部９３と、により構成されていることが好ましい。
【００５８】
基礎部９１は、第ｎレバー群２ｎにおいて複数本のレバー２に挟まれた位置に各々取り付けられていることが好ましい。例えば、本実施形態の第ｎレバー群２ｎに配置された複数の基礎部９１は、押下部５と同様、８本のレバー２のうちの４組の２本のレバー２（ｎａレバー２ｎａ〜ｎｈレバー２ｎｈのうち、ｎａレバー２ｎａ及びｎｅレバー２ｎｅ、ｎｂレバー２ｎｂ及びｎｆレバー２ｎｆ、ｎｃレバー２ｎｃ及びｎｇレバー２ｎｇ並びにｎｄレバー２ｎｄ及びｎｈレバー２ｎｈ）に挟まれた位置において、それら各２本のレバー２を下方から接続する断面Ｕ字ブリッジ形状に各々形成されている。ブリッジ状の基礎部９１は、演者の押下力に負けない程度の高い剛性を持つ金属又は樹脂によりレバー２と一体に形成されていることが好ましい。
【００５９】
ストッパ９２は、例えば金属棒など、レバー２の押し下げ移動量を制限する部材である。ストッパ９２が棒の場合、基礎部９１の下部中央から指板１５０に向かって下方に延びている。当然のことながら、ストッパ９２は各弦１０ｎに接触しないように配置される。ストッパ９２の長さは、レバー２に取り付けられた弦押さえ部７が弦１０ｎを指板１５０まで押し下げるレバー２の移動量、又は、レバー２に取り付けられた弦ミュート部８が弦１０ｎに接触する程度のレバー２の移動量、と同程度となっている。
【００６０】
ばね部９３は、例えばコイルバネなど、レバー２の押下力に対する反力を生み出す部材である。ばね部９３が基礎部９１に固定されたコイルバネであり、ストッパ９２が上記の棒である場合、ばね部９３は、ストッパ９２の長さよりも長く、基礎部９１と指板１５０との間に介在する位置であってストッパ９２と同軸上に配置されている。当然のことながら、ばね部９３は各弦１０ｎに接触しないように配置される。
【００６１】
また、他の一例として、本実施形態の位置制御部９は、図７及び図８に示すように、第ｎレバー群２ｎにおけるレバー２の他端側であって全ての押下部５よりも筐体のボディ側側面１３に近い位置（例えばギターの第１６〜第１８フレット上）に複数個配置されている。この位置制御部９は、基礎部９１と、ストッパ９２と、ばね部９３と、底面部９４と、により構成されていることが好ましい。なお、基礎部９１、ストッパ９２及びばね部９３において上記した位置制御部９の一例と同様の構成については以下でその説明を省略する。
【００６２】
基礎部９１は、下方に凸となるブリッジ状に形成されており、その中央付近において長さ方向ＬＤに延びる楕円孔９１ａを有する。
【００６３】
ストッパ９２は、棒状に形成されており、基礎部９１の楕円孔９１ａを貫通している。このストッパ９２における指板１５０側の端部は底面部９４に固定されており、底面部９４から上方に起立している。このストッパ９２の長さは、レバー２が上方に最大限移動したときもストッパ９２が基礎部９１の楕円孔９１ａを貫通する状態を維持する程度の長さに設定されている。また、このストッパ９２は、その反対の端部に基礎部９１の楕円孔９１ａの短径よりも大きな頭部を有している。
【００６４】
ばね部９３は、ストッパ９２によって貫通された状態で、基礎部９１と底面部９４との間に挟まれている。
【００６５】
筐体部９４は、金属製その他の押下部５を介して入力される押下力に負けない程度の剛性を有する素材を用いて平面状に形成されている。底面部９４は、長さ方向ＬＤにおいて、筐体のボディ側側面１３からレバー２の下方まで延びている。また、この底面部９４は、図８に示すように、弦押さえ部７が弦１０ｎを押下する位置又は弦ミュート部８が弦１０ｎをミュートする位置のどちらかまでレバー２を押し下げたときに、そのレバー２の下方が底面部９４に接触する高さに配置されている。また、この底面部９４は、筐体１０の幅寸法と同様になっており、筐体の第６弦側側面１４の内側及び筐体の第１弦側側面１５の内側に固定されている。
【００６６】
押下部５を介してばね部９３の弾性力よりも大きな力でレバー２が押下されると、ばね部９３が縮められながらレバー２が下方に押し下げられる。ストッパ９２がばね部９３の中央に介在しているため、縮められたばね部９３は長さ方向ＬＤや幅方向ＷＤに逃げることができない。レバー２が底面部９４に接触すると、レバー２の下方移動が終了する。そのレバー２の位置は、弦押さえ部７が弦１０ｎを押下する位置又は弦ミュート部８が弦１０ｎをミュートする位置のどちらかである。
【００６７】
また、レバー２への押下力が除かれると、ばね部９３の弾性力によりレバー２は上方に移動する。ばね部９３の大きな弾性力やその他の何らかの不具合によりレバー２が既定の上方移動量よりも大きく上方に移動した際、そのレバー２の上方移動をストッパ９２の頭部が制限する。仮に、ストッパ９２の頭部がなくても、レバー２の他端側（ボディ側）においてレバー２の上方に位置する筐体の上面１１がそのレバー２の上方移動を制限する。
【００６８】
［２］使用方法
図５で示すように、ギターの第１〜３フレット１６１〜１６３間で構成されるＣ，Ｆ，Ｇ７，Ａｍ，Ｄｍ，Ｅ及びＥｍの７個のコード演奏を補助する場合、図１に示すように、本実施形態の弦楽器用コード演奏補助具１における集中押下部６が７個設けられる。
【００６９】
例えば、演者がコードＤｍに対応する集中押下部６（Ｄｍ集中押下部６Ｄｍ）を押下すると、図２及び図４に示すように、その集中押下部６の下に直線状に配置された４個の押下部５（１１押下部５１１，２３押下部５２３，３２押下部５３２，６ｍ押下部５６ｍ）が押下される。
【００７０】
これら４個の押下部５は、第１レバー群２１、第２レバー群２２、第３レバー群２３及び第６レバー群２６のうちの所定のレバー２（１ｄレバー２１ｄ及び１ｈレバー２１ｈ、２ｂレバー２２ｂ及び２ｆレバー２２ｆ、３ｃレバー２３ｃ及び３ｇレバー２３ｇ，６ａレバー２６ａ及び６ｅレバー２６ｅ）を介して、３個の弦押さえ部７及び１個の弦ミュート部８（１１弦押さえ部７１１，２３弦押さえ部７２３，３２弦押さえ部７３２，第６弦ミュート部８６ｍ）に接続されている。そのため、上記した４個の押下部５（１１押下部５１１，２３押下部５２３，３２押下部５３２，６ｍ押下部５６ｍ）が押下されると、３個の弦押さえ部７及び１個の弦ミュート部８（１１弦押さえ部７１１，２３弦押さえ部７２３，３２弦押さえ部７３２，第６弦ミュート部８６ｍ）が第１弦１０１の第１フレット１６１の運指位置（ファ音）、第２弦１０２の第３フレット１６３の運指位置（レ音）及び第３弦１０３の第２フレット１６２の運指位置（ラ音）を押さえつつ、第６弦１０６をミュートする。
【００７１】
これにより、演者が一方の手の指１本でＤｍ集中押下部６Ｄｍを押下すると、一方の手の複数の指でコードＤｍを構成する各弦の運指位置を押さえた状態と同じになる。Ｄｍ集中押下部６Ｄｍの下に配置された４個の押下部５（１１押下部５１１，２３押下部５２３，３２押下部５３２，６ｍ押下部５６ｍ）から支点部までの距離が３個の弦押さえ部７及び１個の弦ミュート部８（１１弦押さえ部７１１，２３弦押さえ部７２３，３２弦押さえ部７３２，第６弦ミュート部８６ｍ）から支点部までの距離よりも長いので、弦押さえ部７が弦を押さえる力よりも小さな力で押下部５を押下することができる。この状態で他方の手で全弦１０ｎを弾くと、演者は指１本でコードＤｍを正確に演奏することができる。これは、７個のコードのうちの他のコードでも同様に指１本で正確に演奏することができる。
【００７２】
その際、集中押下部６に接続する押下部５の押下量は位置制御部９により制限されているので、押下部５を所定量だけ押下すると押下部５の移動が止まる。また、押下部５への押下力を抜くと位置制御部９によりレバー２が指板１５０から離れる方向に移動するので、弦押さえ部７及び弦ミュート部８は弦１０ｎから離れる。
【００７３】
また、押下部５が押下方向ＰＤに直交する指板１５０の幅方向ＷＤに押された場合、ガイド部３がその方向へのレバー２の移動を制限する。そのため、誤作動で、押下方向ＰＤ以外の方向に押下部５が押されたとしても、レバー２は押下方向ＰＤにのみ移動し、弦押さえ部７及び弦ミュート部８は正確に弦１０ｎを押さえる。
【００７４】
［３］効果
次に、本実施形態の弦楽器用コード演奏補助具１の効果を説明する。
【００７５】
（１）本実施形態の弦楽器用コード演奏補助具１は、Ｎ本の弦（Ｎ：正の整数）が指板１５０の長さ方向ＬＤに張られた弦楽器の第ｎ弦（ｎ：１≦ｎ≦Ｎを満たす正の整数）１０ｎに沿って延びる複数本のレバー２を指板１５０の幅方向ＷＤに配列してなる第ｎレバー群２ｎと、指板１５０に対する接離方向ＤＤにレバー２を移動自在にしながら第ｎレバー群２ｎの一端を支持する支点部４と、レバー２の他端側に配置されており、弦楽器の演者による押下に応じて指板１５０に近づく方向にレバー２を押下する押下部５と、第ｎレバー群２ｎを構成する各々のレバー２において支点部４と各々の押下部５との間の運指位置に取り付けられており、押下部５の押下に応じて第ｎ弦１０ｎを押下する複数の弦押さえ部７と、押下部５への押下がないときに第ｎ弦１０ｎと第ｎ弦１０ｎを押下する複数の弦押さえ部７とを離す位置にレバー２を制御する位置制御部９と、を備えていることを特徴とする。
【００７６】
これにより、１本の弦における運指位置の数に応じてレバー２の数を各々増やすことができるので、それらレバー２に取り付けられた弦押さえ部７に対応する運指位置により構成されるコードの数を増やすことができる。また、各レバー２において、支点部４から押下部５（力点）までの距離が支点部４から弦押さえ部７（作用点）までの距離よりも長いので、演者の押下力よりも大きな力で弦１０ｎを押さえることができる。
【００７７】
（２）また、本実施形態の弦楽器用コード演奏補助具１において、所望のコードを演奏するために押下される複数本のレバー２に各々配置された複数の押下部５は、指板１５０の幅方向ＷＤに直線状に配置されていることが好ましい。
【００７８】
これにより、直線状に配置された複数の押下部５を、演者の指の先からその付け根までの細長い面を使って演者の指一本で押下することができる。
【００７９】
（３）また、本実施形態の弦楽器用コード演奏補助具１は、演者の操作に応じてすべての押下部５を同時押下させる集中押下部６と、を備えており、集中押下部６は、所望のコードの数だけ指板１５０の長さ方向ＬＤに直線状に配置されていることが好ましい。
【００８０】
これにより、１個の集中押下部６により複数の押下部５を同時押下することができるので、演者の指先を使って演者の指一本で集中押下部６を押下することができる。また、複数の集中押下部６が直線状に配置されているので、演者の各指を大きく移動させることなく各々の集中押下部６を操作することができる。
【００８１】
（４）また、本実施形態の弦楽器用コード演奏補助具１において、第ｎレバー群２ｎに配置された押下部５及び弦押さえ部７は、複数本のレバー２に挟まれた位置に各々取り付けられていることが好ましい。
【００８２】
これにより、押下方向ＰＤに対する斜め方向に押下部５を押下したとしても、押下部５及び弦押さえ部７を挟んだ状態で取り付けた２本以上のレバー２が互いに支えあうことによって押下によるねじれを抑制してレバー２の移動を押下方向ＰＤに限定するので、弦押さえ部７による押下操作を安定させることができる。
【００８３】
（５）また、本実施形態の弦楽器用コード演奏補助具１は、指板１５０の幅方向ＷＤにおける複数本のレバー２の間に設けられる一部又は全部の隙間に配置されており指板１５０の直交方向に延在するガイド部３と、を備えることが好ましい。
【００８４】
これにより、押下方向ＰＤに対する斜め方向に押下部５を押下したとしても、その押下部５が取り付けられたレバー２に隣位するガイド部３がレバー２の横ずれを抑制しながらレバー２の移動を押下方向ＰＤに限定するので、弦押さえ部７による押下操作を安定させることができる。
【００８５】
（６）また、本実施形態の弦楽器用コード演奏補助具１は、第ｎレバー群２ｎを構成する所定のレバー２において支点部４と各々の押下部５との間に取り付けられており、押下部５の押下により第ｎ弦１０ｎがミュートする程度に第ｎ弦１０ｎに接触する弦ミュート部８と、を備えることが好ましい。
【００８６】
これにより、所望のコードの演奏に不要な弦を演者が意図せず弾いてしまったとしても、その不要な弦から奏でる不要音を消すことができる。
【００８７】
（７）また、本実施形態の弦楽器用コード演奏補助具１において、レバー２は、レバー２の延在方向と押下方向ＰＤとの直交方向を法線とする平面状に形成されていることが好ましい。
【００８８】
これにより、押下部５による押下方向ＰＤに対してレバー２の強度を高めながらレバー２の幅寸法が極めて小さくなるので、指板１５０の幅方向ＷＤに配列される第ｎレバー群２ｎの複数本のレバー２の本数を増やすことができる。これにより、弦押さえ部７及び押下部５の数を増やすことができるので、演奏を所望するコードの数を増やすことができる。
【００８９】
すなわち、本実施形態の弦楽器用コード演奏補助具によれば、所望するコードの運指を覚えておらず押下力の弱い演奏初心者であっても多数のコードを容易かつ正確に演奏することができる。
【００９０】
なお、本発明は、前述した実施形態などに限定されるものではなく、必要に応じて種々の変更が可能である。
【００９１】
例えば、ギター以外の弦楽器に対しても本実施形態の弦楽器用コード演奏補助具を用いることができる。また、本実施形態の弦楽器用コード演奏補助具は、レバー、弦押さえ部、押下部等所望のコードに対応する部材の個数を増やすことにより、第１〜３フレットよりも大きなフレットを使用する他のコードの演奏にも使用可能である。
【符号の説明】
【００９２】
１  弦楽器用コード演奏補助具
２  レバー
２ｎ  第ｎレバー群
３  ガイド部
４  支点部
５  押下部
６  集中押下部
７  弦押さえ部
８  弦ミュート部
９  位置制御部
１０  筐体
１１  筐体の上面
１２  筐体のヘッド側側面
１３  筐体のボディ側側面
１４  筐体の第６弦側側面
１５  筐体の第１弦側側面
１９  固定部
２１〜２６  第１〜６レバー群
２２ｃ  ２ｃレバー  
４１  貫通孔
４２  ピン
５２３  ２３押下部  
５６ｍ  ６ｍ押下部
６Ｄｍ  Ｄｍ集中押下部
７ｎ１  ｎ１弦押さえ部
７１  支持部
７２  パッド部
８１  支持部
８２  制振部
８ｎｍ  第ｎ弦ミュート部
９１  基礎部
９２  ストッパ
９３  ばね部
１０１〜１０６ 第１〜６弦
１５０  指板
１５１  ネック
１５２  ネックのヘッド側
１５３  ネックのボディ側
１６１〜１６３  第１〜第３フレット
ＤＤ  離接方向
ＬＤ  長さ方向  
ＰＤ  押下方向
ＷＤ  幅方向
２ｎａ〜２ｎｈ  ｎａレバー〜ｎｈレバー
【図１】
2019211606.tif 000003
【図２】
2019211606.tif 000004
【図３】
2019211606.tif 000005
【図４】
2019211606.tif 000006
【図５】
2019211606.tif 000007
【図６】
2019211606.tif 000008
【図７】
2019211606.tif 000009
【図８】
2019211606.tif 000010
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
Ｎ本の弦（Ｎ：正の整数）が指板の長さ方向に張られた弦楽器の第ｎ弦（ｎ：１≦ｎ≦Ｎを満たす正の整数）に沿って延びる複数本のレバーを前記指板の幅方向に配列してなる第ｎレバー群と、
前記指板に対する接離方向に前記レバーを移動自在にしながら前記第ｎレバー群の一端を支持する支点部と、
前記レバーの他端側に配置されており、前記弦楽器の演者による押下に応じて前記指板に近づく方向に前記レバーを押下する押下部と、
前記第ｎレバー群を構成する各々の前記レバーにおいて前記支点部と各々の前記押下部との間の運指位置に取り付けられており、前記押下部の押下に応じて前記第ｎ弦を押下する複数の弦押さえ部と、
前記押下部への押下がないときに前記第ｎ弦と前記第ｎ弦を押下する複数の弦押さえ部とを離す位置にレバーを制御する位置制御部と、
を備えていることを特徴とする弦楽器用コード演奏補助具。
【請求項２】
所望のコードを演奏するために押下される複数本の前記レバーに各々配置された複数の前記押下部は、前記指板の幅方向に直線状に配置されている
ことを特徴とする請求項１に記載の弦楽器用コード演奏補助具。
【請求項３】
前記演者の操作に応じてすべての前記押下部を同時押下させる集中押下部と、を備えており、
前記集中押下部は、所望のコードの数だけ前記指板の長さ方向に直線状に配置されている
ことを特徴とする請求項１又は請求項２に記載の弦楽器用コード演奏補助具。
【請求項４】
前記第ｎレバー群に配置された前記押下部及び前記弦押さえ部は、複数本の前記レバーに挟まれた位置に各々取り付けられている
ことを特徴とする請求項１から請求項３のいずれか１項に記載の弦楽器用コード演奏補助具。
【請求項５】
前記指板の幅方向における複数本の前記レバーの間に設けられる一部又は全部の隙間に配置されており前記指板の直交方向に延在するガイド部と、
を備えることを特徴とする請求項１から請求項４のいずれか１項に記載の弦楽器用コード演奏補助具。
【請求項６】
前記第ｎレバー群を構成する所定の前記レバーにおいて前記支点部と各々の前記押下部との間に取り付けられており、前記押下部の押下により前記第ｎ弦がミュートする程度に前記第ｎ弦に接触する弦ミュート部と、
を備えることを特徴とする請求項１から請求項５のいずれか１項に記載の弦楽器用コード演奏補助具。
【請求項７】
前記レバーは、前記レバーの延在方向と押下方向との直交方向を法線とする平面状に形成されている
ことを特徴とする請求項１から請求項６のいずれか１項に記載の弦楽器用コード演奏補助具。